(57)【要約】  【課題】      引っ張り応力の異なる部分を形成して体のラインを補正することができる補正機能付衣類において、全方向に同じように引っ張り応力を得ることができると共に、この引っ張り応力の異なる部分を一枚の生地の中に継ぎ目なく形成することができる機能生地、補正機能付衣類および補正機能付衣類の製造方法を提供すること。  【解決手段】  丸編機によって編成された引っ張り応力の強い締付け機能部２と引っ張り応力の弱い伸縮機能部３とを備えた機能生地１であって、前記締付け機能部２と伸縮機能部３が、弾性の強い糸と弾性の弱い糸を適宜切り換えることにより一続きに編成されたものであること。  【選択図】    図１
2006037248.tif 000002
【特許請求の範囲】
【請求項１】
丸編機によって編成された引っ張り応力の強い締付け機能部と引っ張り応力の弱い伸縮機能部とを備えた機能生地であって、前記締付け機能部と伸縮機能部が、弾性の強い糸と弾性の弱い糸を適宜切り換えることにより一続きに編成されたものであることを特徴とする機能生地。
【請求項２】
前記締付け機能部が前記弾性の強い糸に加えて一方の別糸によって編成してあると共に、前記伸縮機能部が前記弾性の弱い糸に加えて他方の別糸によって編成してあり、一方の別糸と他方の別糸を染色の容易性において異なるものを用いることにより、前記締付け機能部と伸縮機能部を染色の度合いによって判別可能に構成してある請求項１に記載の機能生地。
【請求項３】
請求項１または２に記載の機能生地を用いて形成され、体の膨出を抑えるための強い引っ張り応力が必要な部分に前記締付け機能部を配置すると共に、体の膨らみをソフトに被覆する部分に前記伸縮機能部を配置するように型どって裁断され、外衣に縫い目が現れにくい部分において縫合された、各パーツからなることを特徴とする補正機能付衣類。
【請求項４】
請求項１または２に記載の機能生地を用い、体の膨出を抑えるための強い引っ張り応力が必要な部分に前記締付け機能部を配置すると共に、体の膨らみをソフトに被覆する部分に前記伸縮機能部を配置するように型どって各パーツを裁断し、これらのパーツを外衣に縫い目が現れにくい部分において縫合して形成することを特徴とする補正機能付衣類の製造方法。
【発明の詳細な説明】
【技術分野】
【０００１】
本発明は、機能生地、補正機能付衣類および補正機能付衣類の製造方法に関する。
【背景技術】
【０００２】
従来より、ボトム、ショーツ、キャミソール、シャツといった下着において、下腹部、二の腕部分の引き締めを行ったり、ヒップアップのような体のラインを補正する機能を有するものがある。また、ヒップアップの効果を得るためのガードルのような衣類も用いられており、水着やレオタードのような衣類においても体のラインの補正機能を有するものがある。
【０００３】
特許文献１および特許文献２には、従来の補正機能付下着が示されている。図７は従来の補正機能付下着（一例としてショーツ）を着用し、その上からピッタリとしたスラックスを着用した状態を示す図である。補正機能付下着は体の膨出を抑えるような補正機能を持たせる部分９０の基本となる生地に、引っ張り応力が大きい生地や伸縮性の少ない生地を裏打ちしたり、この部分９０に引っ張り応力の異なる別の生地を継ぎ合わせるように縫製するようにして形成され、前記部分９０において引っ張り応力の強い部分を形成することにより、例えばヒップアップなどの補正機能を持たせることが行われている。
【特許文献１】特開平１０−２１２６０６号公報
【特許文献２】特開２００４−１５６１９３公報
【発明の開示】
【発明が解決しようとする課題】
【０００４】
しかしながら、複数の生地を継ぎ合わせたり、当て布を裏打ちするなどした場合には、前記部分９０の両縁部９０ａ、つまり、生地と生地との継ぎ目や当て布の縁部において、縫い目などの凹凸が生じることは避けられなかった。したがって、前記縁部９０ａにおいて引っ張り応力が大きい部分と小さい部分との間の境界が生じ、このような補正機能付きの下着を着用すると、スラックスやタイトスカート等の比較的身体に密着して着用されるアウターファッション（外衣）の表面に斜め方向の所謂稜線が出現することがある。つまり、従来の補正機能付下着はいわゆるアウターに響くので見栄えが悪くなる。
【０００５】
とりわけ、補正機能付下着において引っ張り応力を強くかける部分９０は両臀部の中央下方または臀部に近い股部分から左右に向かって斜め上方向に引き上げるようなラインを形成するように配置されているので、この部分９０の両縁部９０ａはいずれも外衣に継ぎ目のない部分である。したがって、これらの縁部９０ａに稜線が現れることにより、腰から脚にかける流れるようなラインが崩れるという問題がある。また、長時間着用すると前記縁部９０ａの縫い目や縁部による型が体に残るという問題もあった。
【０００６】
そこで、補正機能付の下着を構成する生地を縦編機によって形成して、縦糸の一部に、弾力のある強い糸を用いることにより、部分的に強い引っ張り応力を得ることができるような機能を有する機能生地を形成し、この機能生地を用いて補正機能付下着を形成することが考えられる。ところが、縦編機を用いて編成された生地では、引っ張り応力に方向性が生じるので、衣類としての伸縮性に乏しく着用者の動きを阻害するものとなるという問題がある。
【０００７】
本発明は上述の事柄を考慮に入れてなされたものであって、その目的は、引っ張り応力の異なる部分を形成して体のラインを補正することができる補正機能付衣類において、全方向に同じように引っ張り応力を得ることができると共に、この引っ張り応力の異なる部分を一枚の生地の中に継ぎ目なく形成することができる機能生地、補正機能付衣類および補正機能付衣類の製造方法を提供することである。  
【課題を解決するための手段】
【０００８】
上記目的を達成するために、請求項１に記載の機能生地は、丸編機によって編成された引っ張り応力の強い締付け機能部と引っ張り応力の弱い伸縮機能部とを備えた機能生地であって、前記締付け機能部と伸縮機能部が、弾性の強い糸と弾性の弱い糸を適宜切り換えることにより一続きに編成されたものであることを特徴としている。なお、前記締付け機能部は２つの伸縮機能部の間に配置するように構成してあることが好ましい。また、弾性の強い糸と弾性の弱い糸は何れも一種類の糸であってもよいが、例えば弾性の強弱を決める太さの異なるポリウレタンの繊維と、強度を得るためのナイロンの繊維などのより糸であってもよい。
【０００９】
前記締付け機能部が前記弾性の強い糸に加えて一方の別糸によって編成してあると共に、前記伸縮機能部が前記弾性の弱い糸に加えて他方の別糸によって編成してあり、一方の別糸と他方の別糸を染色の容易性において異なるものを用いることにより、前記締付け機能部と伸縮機能部を染色の度合いによって判別可能に構成してあってもよい（請求項２）。なお、レーヨンと綿糸は何れも吸水性に優れた糸であるから、前記別糸として有用であり、レーヨンは綿糸に比べて容易に染色される。ゆえに、前記別糸として例えばレーヨンや綿糸を用いることができる。
【００１０】
請求項３に記載の補正機能付衣類は、前記機能生地を用いて形成され、体の膨出を抑えるための強い引っ張り応力が必要な部分に前記締付け機能部を配置すると共に、体の膨らみをソフトに被覆する部分に前記伸縮機能部を配置するように型どって裁断され、外衣に縫い目が現れにくい部分において縫合された、各パーツからなることを特徴としている。なお、体の膨出を抑えるための強い引っ張り応力が必要な部分は、例えば、ボトム，ショーツの場合は、臀部から太腿にかける部分および下腹部であり、キャミソールの場合はウエスト部分、シャツの場合はウエスト部分に加えて二の腕の部分などがある。一方、体の膨らみをソフトに被覆する部分は、例えば、ボトム，ショーツの場合は臀部、キャミソール，シャツの場合は胸部などである。
【００１１】
請求項４に記載の補正機能付衣類の製造方法は、前記機能生地を用い、体の膨出を抑えるための強い引っ張り応力が必要な部分に前記締付け機能部を配置すると共に、体の膨らみをソフトに被覆する部分に前記伸縮機能部を配置するように型どって各パーツを裁断し、これらのパーツを外衣に縫い目が現れにくい部分において縫合して形成することを特徴としている。
【発明の効果】
【００１２】
請求項１に記載の機能生地では、締付け機能部と伸縮機能部を一続きの生地に形成したものであるから、この生地を用いて体を部分的に締付ける機能を持たせた補正機能付衣類を容易に製造することができる。つまり、体を部分的に締付ける機能を得るために複数の生地を継ぎ合わせたり裏打ちする必要がないので製造にかかる手間を少なくすることができ、それだけ、製造コストを削減することができる。
【００１３】
なお、機能生地は２つの伸縮機能部の間に帯状の締付け機能部を配置するように構成してあってもよい。この場合、締付け機能部と伸縮機能部との切り替わり部分を活用しやすくなり、より縫い目の少ない補正機能付衣類を形成することができる。また、締付け機能部の両端に連続的に伸縮機能部が形成されているので、締付け機能部の境界部には弱い力で体に密着する伸縮機能部が位置して、部分的に力が集中することがない。
【００１４】
また、丸編機によって編成された生地は全方向に伸縮するので、とりわけ下着などの衣類を形成するのに適している。特に、前記丸編機は縦横の全方向に伸縮すると共に生地を薄く形成する天竺編を行うことができるので下着の形成に適しているが、フライス編みなど種々の編み方で編成されたものであってもよいことはいうまでもない。
【００１５】
加えて、締付け機能部が伸縮機能部と一続きに形成されているので、本発明の機能生地を用いて形成された補正機能付の衣類を着用したときに、締付け機能部と伸縮機能部との境界に、従来のような縫い目や段差のような稜線が現れることはない。
【００１６】
前記締付け機能部が前記弾性の強い糸に加えて一方の別糸によって編成してあると共に、前記伸縮機能部が前記弾性の弱い糸に加えて他方の別糸によって編成してあり、一方の別糸と他方の別糸を染色の容易性において異なるものを用いることにより、前記締付け機能部と伸縮機能部を染色の度合いによって判別可能に構成してある場合（請求項２）には、締付け機能部と伸縮機能部を容易に判別できるので、この機能生地を適正に裁断して加工しやすく、間違いを少なくすることができる。また、この機能生地を用いて補正機能付の衣類を形成した場合には、締付け機能部の存在を目視にて確認することができるだけでなく、これを一つのデザインとすることができる。なお、外衣を着用した状態では外部に染色の違いが現れることはない。
【００１７】
請求項３に記載の補正機能付衣類では、体の膨出を抑えたい部分においては締付け機能部を用いて体を引き締めることができると共に、伸縮機能部が体の膨らみをソフトに被覆するので体型を整えることができる。また、締付け機能部と伸縮機能部は一続きの機能生地によって形成されているので、この補正機能付衣類を着用した状態で締付け機能部と伸縮機能部の境界部に縫い目や段差が生じることがなく、ピッタリとした外衣を着用したときにも稜線が現れることがなく、全く自然に体型を整えることができる。
【００１８】
加えて、前記補正機能付衣類には通常の衣類と異なる位置に縫い目や段差がないので、着用者は通常の衣類と全く同じ感覚で補正機能付衣類を着用できると共に、丸編機によって形成された機能生地は薄く肌触りも良好である。また、着用後に、着用者の肌には締付け機能部と伸縮機能部との境界部分による跡形が残ることもない。
【００１９】
請求項４に記載の補正機能付衣類の製造方法では、補正機能付衣類の製造の際に、前記機能生地を用いることと、機能生地の中から補正機能付衣類を構成する各パーツを裁断する部分を選択することにおいて、通常の衣類の製造方法と異なるが、実質的に新たに手間のかかる製造工程が加わることはないので、補正機能付衣類を安価にて製造することができる。
【発明を実施するための最良の形態】
【００２０】
図１は本発明にかかる機能生地１の第１実施例を示す図である。図１において、機能生地１は図外の丸編機によって編成されたものであり、引っ張り応力の強い締付け機能部２と引っ張り応力の弱い伸縮機能部３と一続きに編成してなる機能生地である。締付け機能部２と伸縮機能部３は例えばそれぞれ所定の幅Ｗ1 ，Ｗ2 で交互に編成されたものである。締付け機能部２と伸縮機能部３の継ぎ目は、丸編機に供給する糸を、弾性の強い糸から弾性の弱い糸に切り換えたり、弾性の強い糸から弾性の弱い糸に切り換えることにより行われる。このようにして形成される円筒状の機能生地１を切り開くことにより平面状の機能生地１を得ることができる。
【００２１】
図２は前記機能生地の一部を段階的に拡大して示す図である。図２に示すように、前記機能生地１は拡大部分Ｚ1 に示すように天竺編で編成されたものであり、２つの伸縮機能部３の間に所定幅Ｗ1 の締付け機能部２を形成したものである。拡大部分Ｚ1 において、Ｌは締付け機能部２と伸縮機能部３の境界を示している。
【００２２】
また、締付け機能部２を構成する繊維は、拡大部分Ｚ2 が示すように、７０デニール（７８デシテックス）のナイロン繊維１０ａに７０デニール（７８デシテックス）のポリウレタン繊維１０ｂに加えて３０デニール（３３デシテックス）のナイロン繊維１０ｃを補強用により合わせてなる撚り糸１０と、４０デニール（４５デシテックス）の綿糸１１を交互に編成して形成されている。
【００２３】
一方、伸縮機能部３を構成する繊維は、各大部分Ｚ3 に示すように、７０デニール（７８デシテックス）のナイロン繊維１２ａに２０デニール（２２デシテックス）のポリウレタン繊維１２ｂに加えて３０デニール（３３デシテックス）のナイロン繊維１２ｃを補強用により合わせてなる撚り糸１２と、４０デニール（４５デシテックス）のレーヨン１３を交互に編成して形成されている。
【００２４】
したがって、伸縮機能部３を構成するポリウレタン繊維１２ｂが２０デニールであるのに対して、締付け機能部２を構成するポリウレタン繊維１０ｂは７０デニールであるから、締付け機能部２は伸縮機能部３に比べて強い引っ張り応力を得ることができる。また、伸縮機能部３を構成する綿糸１１よりもレーヨン１３の方が染色しやすい性質を有しており、同じように染色したとしても、伸縮機能部３の方が締付け機能部２よりも濃い色になる。
【００２５】
なお、本実施例では撚り糸１０と綿糸１１または撚り糸１２とレーヨン１３を交互に編成することにより、十分な伸縮性と吸水性を備えると共に平らな表面を有する機能生地１を編成することが可能であるが、本発明はこの点に限定されるものではない。すなわち、綿糸やレーヨンなどの基本となる繊維に対して伸縮性のあるポリウレタン繊維を引き揃えるようにして機能生地１を編成し、締付け機能部２と伸縮機能部３の部分において引き揃えるポリウレタン繊維の太さを切り換えるようにしてもよい。この場合、肌触りを更に向上できる。
【００２６】
上述のように、本発明の機能生地１は締付け機能部２と伸縮機能部３を一続きに形成したものである。したがって、この機能生地１を用いることにより、体を部分的に締付ける機能を得るために複数の生地を継ぎ合わせたり裏打ちするまでもなく、体を部分的に締付ける機能を持たせた補正機能付衣類を極めて容易に製造することができる。つまり、それだけ製造コストを削減することができる。また、締付け機能部２が伸縮機能部３と一続きに形成されているので、本発明の機能生地１を用いて形成された補正機能付の衣類を着用したときに、締付け機能部２と伸縮機能部３との境界に、縫い目や段差のような稜線が現れることはない。
【００２７】
また、本実施例の場合、締付け機能部２と伸縮機能部３が交互に形成してあるので、締付け機能部２と伸縮機能部３との切り替わり縁部を活用しやすくなり、より縫い目の少ない補正機能付衣類を形成することができる。加えて、締付け機能部２の両端に伸縮機能部３を連続的に一続きにして形成してあるので、締付け機能部２の境界部には弱い力で体に密着する伸縮機能部３が位置する。つまり、この機能生地１を用いて肌着を形成した場合に着用者の肌に部分的な力の集中が生じることがなく、着用による跡形が残ることもない。
【００２８】
さらに、丸編機によって編成された機能生地１は全方向に伸縮するので、肌着などの柔軟性が必要な衣類を形成するのに適している。とりわけ、上述の実施例では機能生地１が天竺編によって編成されており、これによって薄く伸縮性の優れた生地を形成することができ、下着の形成に適している。しかしながら、本発明の機能生地１をフライス編によって編成して機能生地１を厚く編成してもよく、機能生地１をスムース編によって編成して機能生地１をさらに厚く編成してもよい。
【００２９】
さらに、機能生地１は、その編み方を部分的に変えることにより模様を形成してあってもよく、その他の種々の編成方法で編成されたものを組み合わせてあってもよいことはいうまでもない。
【００３０】
また、本実施例では締付け機能部２よりも伸縮機能部３が濃い色に染色されるようにすることにより、締付け機能部２と伸縮機能部３を容易に判別できるので、この機能生地１を適正に裁断して加工しやすく、間違いを少なくすることができる。また、この機能生地１を用いて補正機能付の衣類を形成した場合には、締付け機能部２を目視にて確認することができるだけでなく、これを一つのデザインとすることができる。
【００３１】
図３は前記機能生地１を用いて形成される補正機能付衣類の一例を示す図である。図３は補正機能付衣類の一例であるボトム２０の構成を示しており、図３（Ａ）は前方側の斜め方向から見た斜視図、図３（Ｂ）は後方側の斜め方向から見た斜視図である。
【００３２】
本実施例のボトム２０は主に下腹部の引き締めおよび臀部の引き上げ機能を有する下着であり、前身頃２１、左身頃２２、右身頃２３などのパーツを縫合して形成されている。また、２４は前身頃２１と左右の身頃２２，２３を縫合してなる縫合部、２５は左右の身頃２２，２３を臀部の中心から背骨に沿うようにしてつなぎ合わせた縫い目、２６はボトム２０の上端部に取付けられた弾性体で所定の幅を有する襠部、２７はボトム２０の下端部に取り付けられたレースなどの襠部である。これらの襠部２６，２７の形成により、ボトム２０の端部がアウターに響かないようにすることができる。
【００３３】
前記前身頃２１はその全体が前記機能生地１の中で強い引っ張り応力を有する締付け機能部２によって形成されており、前記左右の身頃２２，２３は前記締付け機能部２と伸縮機能部３を跨ぐようにして機能生地１を裁断して形成したものである。つまり、左身頃２２は、前記締付け機能部２によって形成された腰部締付け機能部分２２ａと、前記伸縮機能部３によって形成された上部伸縮機能部分２２ｂと、締付け機能部２によって形成された締付け機能部分２２ｃと、伸縮機能部３によって形成された下部伸縮機能部分２２ｄとからなっている。同様に、左身頃２３は、前記締付け機能部２によって形成された腰部締付け機能部分２３ａと、前記伸縮機能部３によって形成された上部伸縮機能部分２３ｂと、締付け機能部２によって形成された締付け機能部分２３ｃと、伸縮機能部３によって形成された下部伸縮機能部分２３ｄとからなっている。
【００３４】
前記腰部締付け機能部分２２ａ，２３ａは臀部の中央上方において臀部の縫い目２５の部分を引き上げるように配置してある。前記締付け機能部分２２ｃ，２３ｃは両臀部の下部から腰部を通って前記前身頃２１に繋がるように配置してあり、これによって臀部を持ち上げて、その下部を引き締めるような力を加えることができる。
【００３５】
本実施例の締付け機能部分２２ｃ，２３ｃの幅Ｗ1 は５０〜３００ｍｍであることが好ましく、最適は１２５ｍｍである。この幅が臀部の引き上げにちょうどよい幅である。また、前記前身頃２１が締付け機能部２によって形成されているので、下腹部の膨出を抑えることができる。なお、前記腰部締付け機能部分２２ａ，２３ａの大きさは伸縮機能部分３２ｂ，３３ｂを構成する伸縮機能部３の幅Ｗ2 によって容易に調整することができ、本例の場合は３９０ｍｍである。なお、この幅Ｗ2 を大きくすることにより腰部締付け機能部分２２ａ，２３ａを形成しないことも可能である。前記幅Ｗ1 ，Ｗ2 を適宜定めることにより、ボトム１０を形成するための各パーツ（前身頃２１と、左身頃２２と、右身頃２３）を機能生地１から効率良く裁断することができる。
【００３６】
なお、本例に示すボトム２０は、図１，２に示した機能生地１を用いることにより、補正機能を持たせるための特別な縫合を一切行なうことなく、従来のボトム２０と何ら変わることのない形状のパーツ２１，２２，２３を縫合することにより形成することができる。したがって、極めて簡単に補正機能付のボトム２０を形成することができる。つまり、それだけ補正機能付のボトム２０をできるだけ低コストにて製造することができる。
【００３７】
加えて、前記ボトム２０を形成するための各パーツ２１〜２３を裁断するときに、前記各機能部分２２ａ〜２２ｄ，２３ａ〜２３ｄが所定の位置にくるように、機能生地１を裁断する必要があるが、このとき機能生地１の締付け機能部２と伸縮機能部３の色が異なるように構成されていることにより、作業がいっそう容易となる。
【００３８】
また、左右の身頃２２，２３に一続きの機能部分２２ａ〜２２ｄ，２３ａ〜２３ｄを形成することができ、各機能部分２２ａ〜２２ｄ，２３ａ〜２３ｄの境界（引っ張り応力の切換え部）に縫い目や段差がない。したがって、このボトム２０を着用した状態で、ピッタリとしたスラックスやタイトスカートのような外衣を着用したとしても、締付け機能部分２２ａ，２２ｃ，２３ａ，２３ｃと伸縮機能部分２２ｂ，２２ｄ，２３ｂ，２３ｄの間の境界に稜線が現れることがないので、腰から脚にかけて流れるようなラインを崩すことがなく、見栄えが良くなる。加えて、着用後に肌に型が残るような問題も生じることがない。
【００３９】
さらに、前記機能生地１の製造工程において、前記締付け機能部分２２ｂ，２３ｂと伸縮機能部分２２ａ，２２ｃ，２３ａ，２３ｃにおいて染色の度合いを異ならせることにより、着用者は形成されたボトム２０の締付け機能部分２２ｂ，２３ｂを視覚にて容易に確認することができる。つまり、使用者は色の違いによって締付け機能部分２２ｂ，２３ｂの存在を確認して補正機能付のボトムを着用することができ、効果を実感できると共に、締付け機能部分２２ｂ，２３ｂの配置によってワンポイントのデザインを加えることができる。なお、前記染色の違いは外衣の上からは確認することができない程度であることが望ましい。
【００４０】
図４は前記機能生地１を用いて形成される補正機能付衣類の別の例を示す図である。図４は補正機能付衣類の一例であるショーツ３０の構成を示しており、図４（Ａ）は正面図、図４（Ｂ）は背面図である。
【００４１】
本実施例のショーツ３０は主に下腹部の引き締めと臀部の引き上げ機能を有する下着であり、前身頃３１、左身頃３２、右身頃３３、股布３４などのパーツを縫合して形成されている。また、３５は前身頃３１と左右の身頃３２，３３を縫合してなる縫合部、３６は左右の身頃３２，３３を臀部の中心から背骨に沿うようにしてつなぎ合わせた縫合部、３７は前記身頃３１〜３３と股布３４を前方において縫合する縫合部、３８は前記身頃３２，３３と股布３４を後方において縫合する縫合部である。なお、股布３４および左右の身頃３２，３３の下端の縁部には、その詳細な説明を省略するが、レースなどによって襠部を形成し、ショーツ３０の下端がアウターに響かないように構成してある。
【００４２】
本例の前身頃３１は、その上部の大部分が前記機能生地１の中で強い引っ張り応力を有する締付け機能部２によって形成された締付け機能部分３１ａであり、その下部に前記伸縮機能部３によって形成された伸縮機能部３１ｂが形成されている。
【００４３】
一方、前記左右の身頃３２，３３は前記締付け機能部２と伸縮機能部３を跨ぐようにして機能生地１を裁断して形成したものである。つまり、左身頃３２は、前記締付け機能部２によって形成された上部締付け機能部分３２ａと、前記伸縮機能部３によって形成された伸縮機能部分３２ｂと、締付け機能部２によって形成された下部締付け機能部分３２ｃとからなっている。同様に、左身頃３３は、前記締付け機能部２によって形成された上部締付け機能部分３３ａと、前記伸縮機能部３によって形成された伸縮機能部分３３ｂと、締付け機能部２によって形成された下部締付け機能部分３３ｃとからなっている。また、前記股布３４は伸縮機能部３によって形成されている。
【００４４】
前記締付け機能部分３２ｃ，３３ｃの幅Ｗ1 は５０〜２００ｍｍであることが好ましく、最適は１２５ｍｍである。この幅が臀部の引き上げにちょうどよい幅である。また、前記上部締付け機能部分３２ａ，３３ａの大きさは伸縮機能部分３３ｂ，３３ｂを構成する伸縮機能部３の幅Ｗ2 によって容易に調整することができ、本例の場合は上部締付け機能部分３２ａ，３３ａの幅Ｗ1 の幅と同じにしている。つまり幅Ｗ2 の最適は１２５ｍｍである。なお、この幅Ｗ2 を大きくすることにより腰部締付け機能部分３２ａ，３３ａを形成しないことも可能である。前記幅Ｗ1 ，Ｗ2 を適宜定めることにより、ショーツ３０を構成する各パーツ３１〜３４を機能生地１から効率良く裁断することができる。
【００４５】
上記構成のショーツ３０では、前記前身頃３１の大部分が締付け機能部分３１ａであるから下腹部の膨出を抑えることができる。なお、本例のショーツ３０では機能生地１から各パーツ３１〜３４を裁断する際に、より小さい面積から多くのパーツを得ることができるように、前身頃３１の一部に伸縮機能部３１ｂを配置させているが、前身頃３１の全体が締付け機能部分であってもよい。
【００４６】
また、前記上部締付け機能部３２ａ，３３ａは臀部の中央上方において臀部の縫い目３６の部分を引き上げるように配置してあるが、この上部締付け機能部３２ａ，３３ａは省略してもよい。前記下部締付け機能部分３２ｃ，３３ｃは両臀部の下部から腰部を通って前記前身頃３１に繋がるように配置してあり、これによって両太股の左右への膨出を抑えるとともに、臀部を持ち上げるように力を加えることができる。
【００４７】
したがって、本実施例のショーツ３０を用いることにより、従来のショーツの上から着用していたガードルを不要とすることができる。加えて、本実施例に示すショーツ３０は、図１，２に示した機能生地１を用いているから、左右の身頃３２，３３に一続きの機能部分３２ａ〜３２ｃ，３３ａ〜３３ｃを形成することができるので、ピッタリとした外衣を着用したとしても、引っ張り応力が切り替わる境界線においてアウターに稜線が現れることがないので、見栄えが良くなる。加えて、着用後に肌に型が残るような問題も生じることがない。
【００４８】
さらに、本実施例のショーツ３０は、図１，２に示した機能生地１を用いているから、その製造工程において、各パーツ３１〜３４の裁断時以外に従来のショーツの製造と異なる加工を施す必要がない。したがって、極めて簡単に補正機能付のショーツ３０を形成することができる。つまり、それだけ補正機能付のショーツ３０をできるだけ低コストにて製造することができる。
【００４９】
図５は前記機能生地１を用いて形成される補正機能付衣類の別の例を示す図である。図５は補正機能付衣類の一例であるキャミソール４０の構成を示しており、図５（Ａ）は前方の斜め方向から見た斜視図、図５（Ｂ）は後方の斜め方向から見た斜視図である。
【００５０】
本実施例のキャミソール４０は主にウエストラインにおける腹部の膨出を抑え、バストアップを行なうための下着であり、左右の前身頃４１，４２、胸部の身頃４３、左右の脇身頃４４，４５、左右の後身頃４６，４７などのパーツを縫合して形成されている。また、４８は左前身頃４１と右前身頃４２を中心線に沿うようにつなぎ合わせた縫合部、４９は左右後身頃４５，４６を背骨に沿うようにしてつなぎ合わせた縫合部である。
【００５１】
本例の胸部の身頃４３と、左右の脇身頃４４，４５は機能生地１の締付け機能部２によって形成してあり、左右の前身頃４１，４２および左右の後身頃４５，４６は、図１，２を用いて説明した機能生地１の締付け機能部２と伸縮機能部３を跨ぐようにして裁断して形成したものである。
【００５２】
つまり、左右の前身頃４１，４２は前記締付け機能部２によって形成された上部締付け機能部分４１ａ，４２ａと、前記伸縮機能部３によって形成された上部伸縮機能部分４１ｂ，４２ｂと、締付け機能部２によって形成された腹部締付け機能部分４１ｃ，４２ｃと、伸縮機能部３によって形成された下部伸縮機能部分４１ｄ，４２ｄと、締付け機能部２によって形成された下部締付け機能部分４１ｅ，４２ｅとからなっている。
【００５３】
同様に、左右の後身頃４６，４７は、前記締付け機能部２によって形成された上部締付け機能部分４６ａ，４７ａと、前記伸縮機能部３によって形成された上部伸縮機能部分４６ｂ，４７ｂと、締付け機能部２によって形成された腰部締付け機能部分４６ｃ，４７ｃと、伸縮機能部３によって形成された下部伸縮機能部分４６ｄ，４７ｄと、締付け機能部２によって形成された下部締付け機能部分４６ｅ，４７ｅとからなっている。
【００５４】
前記締付け機能部分４１ｃ，４２ｃ，４６ｃ，４７ｃの幅Ｗ1 は５０〜２００ｍｍであることが好ましく、最適は１２５ｍｍである。この幅がウェスト部の引き締めにちょうどよい幅である。また、伸縮機能部分４１ｂ，４２ｂ，４６ｂ，４７ｂ，４１ｄ，４２ｄ，４６ｄ，４７ｄを構成する伸縮機能部３の幅Ｗ2 は例えば１２５ｍｍである。なお、この幅Ｗ2 を広くして締付け機能部分４１ａ，４２ａ，４６ａ，４７ａ，４１ｅ，４２ｅ，４６ｅ，４７ｅを省略することも可能である。このように、前記幅Ｗ1 ，Ｗ2 を適宜定めることにより、キャミソール４０の各パーツ３１〜４７を機能生地１から効率良く裁断することができる。
【００５５】
上記構成のキャミソール４０では、前記左右の前身頃４１，４２および左右の後身頃４５，４６のウエストラインの部分において略Ｖ字状の締付け機能部分４１ｂ，４２ｂを形成しているので、ウエストラインに自然なくびれを形成することができる。また、本実施例のキャミソール４０も補正機能を得るために複雑なパーツを組み合わせる必要がないので、その製造コストを削減することができるだけでなく、引っ張り応力を変えるために、縫合部を無闇に増やすことによって肌触りの悪化やアウターへの悪影響を無くすことができる。
【００５６】
また、前記胸部の身頃４３は胸部において所定の力で締めつけることにより、胸を引き上げてバストアップを図ることができる。なお、上部締付け機能部分４１ａ，４２ａ，４６ａ，４７ａおよび下部締付け機能部分４１ｅ，４２ｅ，４６ｅ，４７ｅはいずれも腹部および背中の肉を斜め方向に引き上げるように作用するが、これらの部分を省略してもよいことはいうまでもない。
【００５７】
図６は前記機能生地１を用いて形成される補正機能付衣類の別の例を示す図である。図６は補正機能付衣類の一例であるシャツ５０の構成を示しており、図６（Ａ）は前方の斜め方向から見た斜視図、図６（Ｂ）は後方の斜め方向から見た斜視図である。
【００５８】
本実施例のシャツ５０は主にウエストラインにおける腹部の膨出を抑えると共に、二の腕部分の引き締めを行なう下着であり、前身頃５１、後身頃５２、左袖の身頃５３、右袖の身頃５４などのパーツを縫合して形成されている。
【００５９】
本例の身頃５１〜５４は、何れも図１，２を用いて説明した機能生地１の締付け機能部２と伸縮機能部３を跨ぐようにして裁断して形成したものである。前後の身頃５１，５２は前記伸縮機能部３によって形成された上部伸縮機能部分５１ａ，５２ａと、前記締付け機能部２によって形成された締付け機能部分５１ｂ，５２ｂと、伸縮機能部３によって形成された下部伸縮機能部分５１ｃ，５２ｃとからなっている。同様に、左右の袖の身頃５３，５４は、前記伸縮機能部３によって形成された伸縮機能部分５３ａ，５４ａと、前記締付け機能部２によって形成された締付け機能部分５３ｂ，５４ｂとからなっている。
【００６０】
また、５５，５６は前後の身頃５１，５２を左右の何れか一方の脇部（本例では左脇部）においてつなぎ合わせた縫合部、５７は前後の身頃５１，５２の上端を肩の上端部においてつなぎ合わせた縫合部、５８，５９は前後の身頃５１，５２と左右の袖の身頃５３，５４をつなぎ合わせた縫合部である。
【００６１】
前記締付け機能部分５２ｂの幅Ｗ1 は５０〜３００ｍｍであることが好ましく、最適は１２５ｍｍである。この幅がウェスト部の引き締めにちょうどよい幅である。また、伸縮機能部分５２ａを構成する伸縮機能部３の幅Ｗ2 は例えば３９０ｍｍである。前記幅Ｗ1 ，Ｗ2 を適宜定めることにより、シャツ５０の各パーツ５１〜５４を機能生地１から効率良く裁断することができる。
【００６２】
上記構成のシャツ５０を着用することにより、前後の身頃５１，５２のウエストラインに相当する部分の締付け機能部分５１ｂ，５２ｂがウエストラインに自然なくびれを形成する程度に着用者のウエストを締めつけることができる。加えて、着用者の二の腕部分に前記締付け機能部分５３ｂ，５４ｂが位置するので、着用者の二の腕を適度に引き締めることができる。また、本実施例のシャツ５０も補正機能を得るために複雑なパーツを組み合わせる必要がないので、その製造コストを削減することができるだけでなく、縫合部を無闇に増やすことによる肌触りの悪化やアウターへの悪影響を無くすことができる。
【００６３】
以上、詳述した各補正機能付衣類２０，３０，４０，５０は何れも下着であり、本発明の機能生地１を用いることにより、体のラインを補正する機能を有する下着を極めて容易に形成することができる。また、丸編機でとりわけ天竺編によって形成された生地は全方向に伸縮するので着用者の動きを阻害することがなく下着として有用である。加えて、天竺編によって形成される生地は薄いのでアウターに響かない下着として極めて有用である。
【００６４】
しかしながら、本発明は機能生地１が天竺編によって編成されていることに限定するものではなく、フライス編によって幾分厚みを持たせることも、スムース編によってさらに厚みを持たせたり表と裏で異なる糸を用いることも可能である。同様に、本実施例では説明を簡単にするために省略してあるが、機能生地１に編成の方法や組織を変えることにより柄を施すことも可能であることはいうまでもない。
【００６５】
また、本発明は補正機能付衣類を下着に限定するものではなく、水着やレオタードなどの外衣であってもよい。
【図面の簡単な説明】
【００６６】
【図１】本発明に係る機能生地の全体を示す図である。
【図２】前記機能生地の構成の詳細を示す図である。
【図３】補正機能付衣類の一例であるボトムの構成を示す図である。
【図４】補正機能付衣類の一例であるショーツの構成を示す図である。
【図５】補正機能付衣類の一例であるキャミソールの構成を示す図である。
【図６】補正機能付衣類の一例であるシャツの構成を示す図である。
【図７】従来の補正機能付下着を着用した状態を示す図である。
【符号の説明】
【００６７】
１                              機能生地
２                              締付け機能部
３                              伸縮機能部
１０                            弾性の強い糸
１１                            一方の別糸
１２                            弾性の弱い糸
１３                            他方の別糸
２０                            ボトム（補正機能付衣類）
２１〜２３                      パーツ
２２ｂ，２２ｄ，２３ｂ，２３ｄ  体の膨らみをソフトに被覆する部分
２１，２２ｃ，２３ｃ            体の膨出を抑える部分
３０                            ショーツ（補正機能付衣類）
３１〜３４                      パーツ
３２ｂ，３３ｂ，３４            体の膨らみをソフトに被覆する部分
３１ａ，３２ａ，３３ａ，３２ｃ，３３ｃ
体の膨出を抑える部分
４０                            キャミソール（補正機能付衣類）
４１ｂ，４１ｄ，４２ｂ，４２ｄ，４６ｂ，４６ｄ，４７ｂ，４７ｄ
体の膨らみをソフトに被覆する部分
４１ｃ，４２ｃ，４３，４４，４５，４６ｃ，４７ｃ
体の膨出を抑える部分
５０                            シャツ（補正機能付衣類）
５１〜５４                      パーツ
５１ａ，５１ｃ，５２ａ，５２ｃ，５３ａ，５４ａ
体の膨らみをソフトに被覆する部分
５１ｂ，５２ｂ，５３ｂ，５４ｂ  体の膨出を抑える部分
【図１】
2006037248.tif 000003
【図２】
2006037248.tif 000004
【図３】
2006037248.tif 000005
【図４】
2006037248.tif 000006
【図５】
2006037248.tif 000007
【図６】
2006037248.tif 000008
【図７】
2006037248.tif 000009
【手続補正書】
【提出日】平成16年11月10日(2004.11.10)
【手続補正１】
【補正対象書類名】明細書
【補正対象項目名】００２２
【補正方法】変更
【補正の内容】
【００２２】
また、締付け機能部２を構成する繊維は、拡大部分Ｚ2 が示すように、７０デニール（７８デシテックス）のナイロン繊維１０ａに７０デニール（７８デシテックス）のポリウレタン繊維１０ｂに加えて３０デニール（３３デシテックス）のナイロン繊維１０ｃを補強用により合わせてなる撚り糸１０と、４０番手の綿糸１１を交互に編成して形成されている。
【手続補正２】
【補正対象書類名】明細書
【補正対象項目名】００２３
【補正方法】変更
【補正の内容】
【００２３】
一方、伸縮機能部３を構成する繊維は、各大部分Ｚ3 に示すように、７０デニール（７
８デシテックス）のナイロン繊維１２ａに２０デニール（２２デシテックス）のポリウレ
タン繊維１２ｂに加えて３０デニール（３３デシテックス）のナイロン繊維１２ｃを補強
用により合わせてなる撚り糸１２と、４０番手のレーヨン１３を交互に編成して形成されている。